(57)【要約】      （修正有）【課題】使用済みペットボトルを再利用した植物栽培容器に適した吸水具を提供する。  【解決手段】吸水具１は、使用済みのペットボトルを半分に切断して下半分を外側容器１６とし、出入口４ａのある上半分を内側容器４とした植物栽培容器に用いられる。吸水具２は、内側容器４に脱着自在に挿入可能な本体３と、該本体３に保持され外側容器内１６内の水１８を本体３の上面側に導く吸水部材５と、この吸水部材５の上に配置される第２の吸水部材７を備えている。本体３は、内側容器４の出入口４ａの近傍の内壁面に嵌合するのに適した形状の、出入口４ａの横断面積よりも広い遮蔽用の面積を有する蓋部３ｂと、内側容器４の出入口４ａにガタのない状態で挿入するのに適した形状の脚部３ａとより構成され、脚部３ａの上部は蓋部３ｂに回転自在且つ脱着自在に結合する。蓋部３ｂと第２の吸水部材７には植物の根を通す多数の孔が形成されている。【選択図】図６
0003144407.tif 000002
【実用新案登録請求の範囲】
【請求項１】
使用済みのペットボトルを半分に切断して下半分を外側容器とし、出入口のある上半分を内側容器とした植物栽培容器に用いられる吸水具であって、前記内側容器に脱着自在に挿入可能な本体と、該本体に保持され前記外側容器内の水を前記本体の上面側に導く第１の吸水部材と、前記本体の上面に前記第１の吸水部材の上部と接触して配置される吸水性の素材からなる平板状の第２の吸水部材とを備え、前記本体を、前記内側容器の出入口にガタのない状態で挿入するのに適した形状のばね体より成る脚部と、該脚部の上部に結合し前記内側容器の出入口の近傍の内壁面に嵌合するのに適した形状の前記出入口の横断面積よりも広い遮蔽用の面積を有する蓋部とより構成し、前記蓋部の中央に前記第１の吸水部材を挿入するための開口部を設けるとともに、前記蓋部の下面に嵌合受部を設け。該嵌合受部に前記脚部の上部に形成した嵌合凸部を脱着自在且つ回転自在に嵌合自在とし、該嵌合受部を中心として前記脚部を前記蓋部に対して略水平と垂直の間で屈折自在とし、前記蓋部の上に植物栽培用の土壌を載せるようにし、前記蓋部と第２の吸水部材に多数の孔を形成し、該孔を通じて植物の根が前記外側の容器の底部に伸びるようにしたことを特徴とするペットボトルを再利用した植物栽培容器に用いられる吸水具。
【請求項２】
前記第２の吸水部材の前記内側容器を遮蔽する方向の面積を前記蓋部の遮蔽用の面積より大きく設定し、該第２の吸水部材を前記第１の吸水部材の上部に接触させて前記蓋部の上面に配置したことを特徴とする請求項１に記載のペットボトルを再利用した植物栽培容器に用いられる吸水具。
【請求項３】
前記脚部が前記蓋部に対して垂直状態のとき、前記脚部の嵌合凸部の前記嵌合受部に対する回転が解除可能に係止される係止機構を設けたことを特徴とする請求項１に記載のペットボトルを再利用した植物栽培容器に用いられる吸水具。
【考案の詳細な説明】
【技術分野】
【０００１】
本考案は、使用済みペットボトルを再利用した植物栽培容器用吸水具に関する。
【背景技術】
【０００２】
ペットボトルを利用した植物栽培容器の中に使用する通気、排水、吸水、土留めを兼ねた円筒状のパイプ管が従来知られている（例えば特許文献１参照）。
【特許文献１】実用新案登録第３０６５８８５号公報
【考案の開示】
【考案が解決しようとする課題】
【０００３】
内部に吸水性のある不織布や繊維を封入し、外側をネットで包んだパイプ管を、使用済みのペットボトルを半分に切断して下半分を外側容器とし、出入口のある上半分を内側容器とした植物栽培容器に用いられる吸水具とした場合、パイプ管の外周面と内側容器の出入口の内周面との間の隙間から内側容器内の土壌が落下してしまい、この種の吸水具に適しないという問題点がある。
本考案は使用済みペットボトルを利用した植物栽培容器に用いるのに適した、内側容器への位置決めが確実で且つ土止め機能に優れた吸水具を提供することを目的とするものである。
また本考案は、小型化に適した折り畳み式の吸水具を提供することを目的とするものである。
また本考案は、植物の根の育成に適した吸水具を提供することを目的とする。
【課題を解決するための手段】
【０００４】
上記目的を達成するため本考案は、使用済みのペットボトルを半分に切断して下半分を外側容器とし、出入口のある上半分を内側容器とした植物栽培容器に用いられる吸水具であって、前記内側容器に脱着自在に挿入可能な本体と、該本体に保持され前記外側容器内の水を前記本体の上面側に導く第１の吸水部材と、前記本体の上面に前記第１の吸水部材の上部と接触して配置される吸水性の素材からなる平板状の第２の吸水部材とを備え、前記本体を、前記内側容器の出入口にガタのない状態で挿入するのに適した形状のばね体より成る脚部と、該脚部の上部に結合し前記内側容器の出入口の近傍の内壁面に嵌合するのに適した形状の前記出入口の横断面積よりも広い遮蔽用の面積を有する蓋部とより構成し、前記蓋部の中央に前記第１の吸水部材を挿入するための開口部を設けるとともに、前記蓋部の下面に嵌合受部を設け。該嵌合受部に前記脚部の上部に形成した嵌合凸部を脱着自在且つ回転自在に嵌合自在とし、該嵌合受部を中心として前記脚部を前記蓋部に対して略水平と垂直の間で屈折自在とし、前記蓋部の上に植物栽培用の土壌を載せるようにし、前記蓋部と第２の吸水部材に多数の孔を形成し、該孔を通じて植物の根が前記外側の容器の底部に伸びるようにしたことを特徴とする。
また本考案は、前記第２の吸水部材の前記内側容器を遮蔽する方向の面積を前記蓋部の遮蔽用の面積より大きく設定し、該第２の吸水部材を前記第１の吸水部材の上部に接触させて前記蓋部の上面に配置したことを特徴とする。
また本考案は、前記脚部が前記蓋部に対して垂直状態のとき、前記脚部の嵌合凸部の前記嵌合受部に対する回転が解除可能に係止される係止機構を設けたことを特徴とするものである。
【考案の効果】
【０００５】
本考案は、内側容器の出入口にガタのない状態で挿入するのに適した形状の脚部と、該脚部の上部に一体的に結合し内側容器の出入口の近傍の内壁面に嵌合するのに適した形状の蓋部とより構成したので、内側容器に容易に且つ確実に位置決めが可能であり、しかも内側容器の内部の土壌が外側容器内に落下するのを確実に防止できる。また、本考案は、植物の根が蓋部に妨げられることなくこれを貫いて下方に延びることができるので、植物の根の生育を促進することができる。また本考案は、脚部を折り畳むことができるので、小型化に適し、且つ、蓋部と脚部が別体の部品を構成するので、本体の成型が容易となり、コストダウンが可能となる。
【考案を実施するための最良の形態】
【０００６】
以下に本考案の実施の形態を添付した図面を参照して詳細に説明する。
図１乃至図６は本考案に係るペットボトルを再利用した植物栽培容器に用いられる吸水具の第１の実施形態を示している。吸水具１はペットボトルの上半分から成る内側容器４の出入口４ａ及びその近傍に挿入される本体３と、吸水性、保水性を有する不織布などの細長状の吸水部材５と、第２の吸水部材７とで構成されている。
【０００７】
本実施形態において、本体３はプラスチック材から成り、内側容器４の出入口４ａに圧入嵌合するのに適した形状の脚部３ａと、内側容器４の出入口４ａの近傍の内壁面を水平方向に仕切り、内側容器４の内部を隙間無く水平方向に塞ぐのに適した、水平方向に広がる板状の蓋部３ｂとから構成されている。脚部３ａは、帯状の弾力性を有するプラスチック板により成型され、その上部に、互いに水平方向に対向する一対の突起６，６が設けられている。前記蓋部３ｂの下面には、一対の嵌合受部８，８が設けられ、該嵌合受部８，８に前記突起６，６を回転自在且つ、脱着可能に受け入れる嵌合凹部（図示省略）が形成されている。
【０００８】
前記脚部３ａの上部の突起６，６を、該脚部３ａの弾力性を利用して、前記嵌合受部８，８の嵌合凹部に挿入することができ、該嵌合状態において、前記脚部３ａは、前記蓋部３ｂの下面に形成された左右の嵌合受部８，８を中心として、図４に示すように、蓋部３ｂに対して、垂直状態と水平状態の間で屈折可能にヒンジ結合している。脚部３ａを蓋部３ｂに対して、水平に屈折した状態において、本体３は、図４に示すように、薄い板状にコンパクトに折り畳まれる。本体３を内側容器４内に配置するときは、脚部３ａは、蓋部３ｂに対して垂直に屈折させておく。
【０００９】
脚部３ａが垂直状態において、図３に示すように、脚部３ａの上部に形成されたボッチ９が、嵌合受部８，８の下面に形成された係止穴１０に嵌合し、脚部３ａは、蓋部３ｂに対して、垂直状態に係止される。このボッチ９と係止穴１０の嵌合状態は、脚部３ａに折り畳み方向に回転力を加えることにより簡単に外れることができるように構成されている。前記ボッチ９と係止穴１０は、脚部３ａの嵌合凸部６，６の、前記嵌合受部８，８に対する回転を脱着可能に係止する係止機構を構成している。この係止機構は、図３に示すボッチ９と係止穴１０の構成に特に限定されるものではない。脚部３ａの下部にはＷ型のばね部が形成され、その左右の側面が、内側容器４の出入口４ａの内周面に接触して、これとの間に大きな結合力を発生させるように構成されている。
【００１０】
前記脚部３ａの下部のＷ型のばね部の横幅は、内側容器４の出入口４ａの内径部の横幅よりも大きく設定され、脚部３ａは、内側容器４の出入口４ａに挿入されるときは圧縮され、そのばね部の弾発力が出入口４ａの内周面との間に強く作用するようになっている。前記蓋部３ｂには、植物２２の根２２ａ通すための小さな穴１５が多数略全域にわたって形成されている。また、蓋部３ｂの上面には、第２の吸水部材７の係止穴１４や、第１の吸水部材５の係止穴１３に突き刺すことができる係止用突起１７が多数突設されている。
【００１１】
前記蓋部３ｂには、細長状の第１の吸水部材５が２枚に重ねた状態で配置され、先端部５ａが、蓋部３ｂの下方からその外方に延びている。第１の吸水部材５の上部５ｂは蓋部３ｂに形成された穴１１を通じて蓋部３ｂの上面側に導かれ、ここで左右に分岐され、係止穴１３に突起１７が挿入され、蓋部３ｂの上面に突起１７により係止されている。第２の吸水部材７は前記吸水部材５と同じ吸水材料から構成され、蓋部３ｂより大きな板状に形成されている。前記第２の吸水部材７には、略全域に植物の根を通すための円形又はスリット状の穴２４が多数穿設されている。前記穴３６，１５は、土壌が下にこぼれない程度の大きさに設定されている。
【００１２】
第２の吸水部材７は幅広の吸水面が土壌と接し、吸水部材５から伝った水を土壌に効率的に供給するとともに、外周部が内側容器４の内壁面の全周と密に接して土壌の下方の落下を阻止し、該第２の吸水部材７と本体３の蓋部３ｂとは二重の土止め機構を構成する。第２の吸水部材７は、前記吸水部材５の上部５ｂの上から突起１７により、前記蓋部３ｂの上面に載置位置決めされている。
【００１３】
次に、上記吸水具１を用いて、使用済みペットボトルを植物栽培容器として再利用する手順について説明する。
まず使用済みのペットボトルを真ん中から横断方向にカッターを用いて切断し、ペットボトルを外側容器１６，出入口４ａの付いた上部ペットボトルを内側容器４とする。外側容器１６には予め水１８を入れておく。また、内側容器４内に吸水具１を下向き垂直にした脚部３ａから挿入し、吸水具１の脚部３ａを内側容器４の出入口４ａにばね力に抗して圧入する。吸水具１を内側容器４内で下向きに押し下げると、脚部３ａは、内側容器４の出入口４ａの近傍の円錐面に導かれて圧縮方向に変形しながら出入口４ａに嵌挿する。このとき、吸水部材５は、出入口４ａの外に突出する。
【００１４】
吸水具１の脚部３ａが出入口４ａに挿入された状態において、蓋部３ｂの外周部は、内側容器４の内壁面に嵌合する。この脚部３ａと蓋部３ｂの、内側容器４に対する嵌合により、吸水具１は内側容器４の内部にしっかりと定位置に脱着可能に位置決めされる。またこのとき、第２の吸水部材７は内側容器４の内壁面に密嵌し、蓋部３ｂと第２の吸水部材７とによって土壌の出入口４ａを伝った落下が確実に阻止される。
【００１５】
以上により、内側容器４に対する吸水具１の装着は完了する。内側容器４には、吸水具１を装着した後、土壌２０が入れられ、これに植物２２あるいは種が埋められる。以上の準備ができたところで、内側容器４を、出入口４ａを下にして、外側容器１６に嵌合すれば、使用済みペットボトルは植物栽培容器となる。
【００１６】
該状態において、第１の吸水部材５は、外側容器１６内の水１８を吸い込み、毛細管現象で、水を上方に導き、土壌２０に接する第２の吸水部材７を通じて土壌２０内に水が供給される。第２の吸水部材７は、内側容器４内の土壌２０が蓋部３ｂより下方に落下するのを防止している。外側容器１６内の水が無くなったときは、特製の差し込み式の漏斗（図示省略）を外側容器１６内に差し込み、外側容器１６の上部開放部から水を補給する。水の補給が完了したら漏斗を外側容器１６から引き抜いておく。土壌２０内の植物２２の根２２ａは、穴２４，１５を通じて外側容器１６の底部に延びることができる。
【図面の簡単な説明】
【００１７】
【図１】本考案に係る吸水具の分解外観図である。
【図２】吸水具本体の外観図である。
【図３】吸水具本体の正面図である。
【図４】吸水具本体の外観図である。
【図５】吸水具の外観図である。
【図６】植物栽培容器の断面図である。
【符号の説明】
【００１８】
１      吸水具
３      本体
３ａ    脚部
３ｂ    蓋部
４      内側容器
４ａ    出入口
６      突起
７      吸水部材
８      嵌合受部
９      ボッチ
１０    係止穴
１１    開口部
１３    係止穴
１４    係止穴
１５    穴
１６    外側容器
１７    突起
１８    水
２０    土壌
２２    植物
２４    穴
【図１】
0003144407.tif 000003
【図２】
0003144407.tif 000004
【図３】
0003144407.tif 000005
【図４】
0003144407.tif 000006
【図５】
0003144407.tif 000007
【図６】
0003144407.tif 000008